(57)【要約】【課題】  従来の冷蔵庫は貯蔵室内の脱臭として、冷気通路に脱臭装置や脱臭剤を設けて貯蔵室内の空気を冷却時に循環させることで脱臭を行っていたが、貯蔵室の隅や貯蔵容器の下側にある臭気成分は循環するまでには時間がかかってしまった。また、冷気通路に設置した脱臭装置や脱臭剤に冷気を一度通過させるだけでは十分に脱臭することができない問題があった。【解決手段】貯蔵空間や冷気の通風路に茶葉から成分を抽出した後の残渣である茶殻と樹脂を混ぜ合わせた混合樹脂を使用することで、保存後に食品から発生する悪臭を茶殻や茶殻に含まれる成分で吸着、除去できる貯蔵室にすることを可能とした。【選択図】図１
2008292094.tif 000002
【特許請求の範囲】
【請求項１】
食品を保存する独立した貯蔵空間を設けた冷蔵庫において、茶葉から成分を抽出した後の残渣である茶殻と樹脂を混ぜ合わせた混合樹脂を、貯蔵空間内もしくは貯蔵空間内に送る冷気の通風路に使用したことを特徴とする冷蔵庫。
【請求項２】
前記混合樹脂を使用することで、脱臭効果があることを特徴とした請求項１記載の冷蔵庫。
【請求項３】
茶殻と樹脂を混ぜ合わせる時に茶殻をウェット状態で成形することで、樹脂間にポーラスを成形することを特徴とした請求項１から２記載の冷蔵庫。
【請求項４】
前記混合樹脂の配合率を樹脂９９．９％〜７０％、茶殻０．１％〜３０％としたことを特徴とした請求項１から３記載の冷蔵庫。
【発明の詳細な説明】
【技術分野】
【０００１】
本発明は冷蔵庫に関する。
【背景技術】
【０００２】
近年の冷蔵庫は大型化により、多くの食品が保存されるようになってきている。また、食生活の変化によりさまざまな食品が保存され、食品の保存期間も貯蔵技術の向上から長期保存が可能となってきている。
【０００３】
しかし、その反面貯蔵室に大量に保存できることと、保存期間が長いことから保存したことを忘れ、貯蔵室奥側に保存した食品から悪臭を発生する原因ともなってきていることから、市販されている冷蔵庫の脱臭性能を向上させる必要がある。そこで注目したのが茶葉から成分を抽出した後の茶殻を樹脂に混合した悪臭補足に優れている樹脂組成物が提案されている。茶殻には成分を抽出した後でも茶葉の成分が残っていて、なおかつ成分を抽出した場所に隙間が生じ臭気の吸着性能が向上するからである。また、近年食生活の変化や健康志向から茶葉から抽出した紅茶、ウーロン茶、緑茶などの茶類飲料を消費する量が年々増加傾向であり、特に缶、びん、PETボトルに入った工場で製品化したものが主流になってきている。それに伴い、工場での生産量が多くなり、結果原料である茶葉から成分を抽出後の茶殻が大量に排出されている。排出された茶殻の一部は堆肥などにして再利用されているものの、堆肥化の処理工程において発生する悪臭などが環境問題となり、大部分の茶殻は焼却処分がおこなわれていた。
【０００４】
【特許文献１】特開２００４−２９２８０５号公報
【発明の開示】
【発明が解決しようとする課題】
【０００５】
従来の冷蔵庫では貯蔵室内の脱臭として、冷気通路に脱臭装置や脱臭剤を設けて貯蔵室内の空気を冷却時に循環させることで脱臭を行っていた。しかし、冷気を貯蔵室内に流しても隅や貯蔵容器の下側にある臭気成分は循環するまでには時間がかかってしまう。しかも、冷気通路に設置した脱臭装置や脱臭剤では通過する時間が短いことから一度通過するだけでは十分に脱臭しきれない問題があった。より脱臭効果のある大きい脱臭装置や脱臭剤を設置すると、今度は脱臭装置や脱臭剤を冷気が通過するときに抵抗となってしまう問題があり、脱臭装置や脱臭剤を大きくすることができなかった。
【０００６】
そこで、本発明では脱臭効果のある茶殻を樹脂と混ぜて混合樹脂として、貯蔵空間内や冷気の通風路に使用することで貯蔵室内の悪臭を防止できる冷蔵庫を提供すると共に、従来廃棄処理される茶殻を合成樹脂として冷蔵庫に使用することで環境に配慮した製品を提供することを目的とするものである。
【課題を解決するための手段】
【０００７】
上記目的を達成するための本発明の第一の冷蔵庫は、食品を保存する独立した貯蔵空間を設けた冷蔵庫において、茶葉から成分を抽出した後の残渣である茶殻と樹脂を混ぜ合わせた混合樹脂を、貯蔵空間内もしくは貯蔵空間内に送る冷気の通風路に使用するものである。
【０００８】
上記目的を達成するための本発明の第二の冷蔵庫は、前記記載の貯蔵空間内もしくは貯蔵空間内に送る冷気の通風路に茶殻の混合樹脂を使用し脱臭効果あるいは抗菌効果を有するものである。
【０００９】
上記目的を達成するための本発明の第三の冷蔵庫は、茶殻と樹脂を混ぜ合わせる時に茶殻をウェット状態で成形することで、樹脂間にポーラスを成形させ冷気を樹脂の内側にある茶殻まで接触させる構造を設けたものである。
【００１０】
上記目的を達成するための本発明の第四の冷蔵庫は、前記混合樹脂の配合率を樹脂９９．９％〜７０％、茶殻０．１％〜３０％としたことを特徴としたものである。
【発明の効果】
【００１１】
本発明は前記貯蔵空間や冷気の通風路に茶葉から成分を抽出した後の残渣である茶殻と樹脂を混ぜ合わせた混合樹脂を、使用することで食品保存後に発生する悪臭を除去できる貯蔵室を提供し、従来廃棄処理される茶殻を合成樹脂として冷蔵庫に使用することで環境に配慮した製品を提供することができる。
【発明を実施するための最良の形態】
【００１２】
以下本発明の実施の形態について、図１から図６を用いて説明する。
【００１３】
まず図１〜図４をもって本発明を採用する冷蔵庫について説明する。図１は本発明を備えた冷凍冷蔵庫の扉を外した正面図、図２は図１の要部拡大断面図、図３は図２中の仕切部材纏め品の斜視図であり、図４は図３の仕切部材纏め品の裏側を示す斜視図である。
【００１４】
まず図１において、１は冷凍冷蔵庫の本体。この冷蔵庫本体１は内部に上から冷蔵室２、冷凍室３、野菜室４を有している。そして図には示していないが、上記室の全面開口部には扉を有している。特に冷凍室３、野菜室４の全面開口部を閉塞する扉は引出し式に形成されており、後述する容器を扉とともに引き出す構造に形成されている。
【００１５】
そして、冷凍室３として示した冷凍室３を製氷室３ａ、急速冷凍室３ｂ、及び冷凍室３ｃに区画した構成を示している。製氷室３ａ内には自動製氷装置及び貯氷容器が備えられており、貯氷容器は引き出し式の扉を引き出すことによって扉と供に引き出される構成となっている。また、急速冷凍３ｂ及び冷凍室３ｃもそれぞれ引き出し式の扉によって全面開口部が閉塞されており、庫の扉を引き出すことによって内部の容器が引き出される構成となっている。
【００１６】
特に冷凍室３ｃは、図に示したように上下３個の容器が収納され、下段からそれぞれ下段冷凍室容器５、中段冷凍室容器６、上段冷凍室容器７が配設されている。図には示していないが、下段冷凍容器５及び中段冷凍容器６は、冷凍室扉の引出し枠に固定され、この冷凍室扉の開閉に連動して冷凍室３ｃ内を出入する。上段冷凍室７は冷凍室３ｃの側壁を構成する内箱側面に設けられたレールを利用し冷凍室３ｃに対して引出し可能な構成としている。さらには、各容器５、６、７は互いに深さ寸法が異なる容器であり、大きさの異なる各種の食品の収納に適したものとしている。
【００１７】
次に図２において上記の冷凍室３の背部に形成された冷却器室８にて作られた冷気により冷凍室３内が冷却される点について説明する。
【００１８】
８は冷凍室３の背部に形成された冷却器室で、この冷却器室８内には冷凍サイクルを構成する冷却器９と冷却器９で作られた冷気を冷凍室３は勿論、ダンパー１１を介して、冷蔵室２、野菜室４に強制循環する為の冷気循環ファン１０が設けられている。
【００１９】
１２は冷凍室３と冷却器室８間を仕切る仕切り部材纏め器である。この仕切り部材纏め器１２には図３にも示す如く、各容器部に冷却器９を経由した冷気を送る為の吐出口が図の如く設けられている。
【００２０】
また、この仕切り部材纏め器１２の裏側には、先に説明した冷却器９、冷気循環ファン１０、ダンパー１１等が部組されている。
【００２１】
これらの容器は図２に示すとおり背面の冷気吐出口より容器の上部から冷気が入る構造となっているため、容器内に詰め込まれた食品の隙間には風の流れはない。
【００２２】
以下に本発明の樹脂に茶殻を混ぜた混合樹脂を貯蔵空間に使用した一例を示す。
【００２３】
上記により冷気の循環するのに時間がかかることで、冷気通路に設けられた脱臭装置１３に貯蔵空間内の空気の一部しか通過させることができずに悪臭を脱臭するのに時間がかかってしまう。そこで、貯蔵空間の冷凍室３や野菜室４の各容器５、６、７に樹脂に茶殻を混ぜた混合樹脂を使用することで、混合樹脂に混ぜた茶殻が悪臭を除去、吸着して貯蔵空間内の冷気が循環しにくい場所からでも脱臭をすることができる。また、樹脂と茶殻を混ぜて混合樹脂とするときに、茶殻をウエット状態で混ぜることで、成形後に樹脂間にポーラスが発生することで内部まで悪臭を吸着させることができる。
【００２４】
以下に本発明の樹脂に茶殻を混ぜた混合樹脂の脱臭結果を示す。
【００２５】
図５は貯蔵容器から１０ｃｍ角の試験片を切り出し、３Ｌのテドラ−バック内に入れ、悪臭であるアンモニアを充填して３０分後の濃度の測定結果である。図５１４ａは従来市販されている冷蔵庫に使用されているポリプロピレンから成る貯蔵室容器から切り出した試験片であり、１４ｂは樹脂のポリプロピレンに茶殻を混合したものであり、割合は樹脂９７％茶殻３％としたものであり、１４ｃは樹脂と茶殻の割合を、樹脂７０％茶殻３０％としたものである。試験の結果、３０分後のアンモニアの残存率は従来冷蔵庫に使用されているポリプロピレンから成る貯蔵室容器から切り出した試験片よりも、ポリプロピレンに茶殻を混合した混合樹脂の方が低いことから脱臭されていることがわかる。また、茶殻の割合が３％の混合樹脂よりも３０％の混合樹脂の方がより脱臭をしていることがわかる。
【００２６】
さらに図６は別の悪臭である酢酸についても図５と同条件にて試験を行った。図６の１５ａ、１５ｂ、１５ｃ各試験片の酢酸の脱臭試験結果は、図５のアンモニアを脱臭した時と同様に１５ａポリプロピレンから成る試験片よりも１５ｂ、１５ｃの樹脂に茶殻を混合した混合樹脂の方が脱臭に効果がある傾向がみられ、これにより樹脂に茶殻を混合することは脱臭に効果的である。本発明においては３％から３０％の茶殻入り混合樹脂を使用したが、好ましくは茶殻濃度を５％から１０％を含有したものである。図５、図６では３０分間の脱臭試験であり、通常の冷蔵庫では常時使用していることから茶殻入り混合樹脂を使用することで、脱臭性能が茶殻を０．１％以上含有させても脱臭性能を向上することができる。しかし、茶殻を３０％より多く含有させると樹脂と茶殻間での強度低下や、樹脂と茶殻を混ぜて成形するときにも、茶殻による成形機の温度低下が大きくなるという問題が発生してしまう。
【００２７】
本発明は以上説明した如き構成を有するものであるから、次の如き効果を有する物である。即ち、食品を保存する独立した貯蔵空間を設けた冷蔵庫において、茶葉から成分を抽出した後の残渣である茶殻と樹脂を混ぜ合わせた混合樹脂を、貯蔵空間内もしくは貯蔵空間内に送る冷気の通風路に使用することにより、食品から発生する悪臭を茶殻の脱臭効果によりすることでニオイのない冷蔵庫内空間を保つことが出来る。
【図面の簡単な説明】
【００２８】
【図１】本発明を備えた冷凍冷蔵庫の扉を外した正面図である。
【図２】図１の要部拡大断面図である。
【図３】図２中の仕切部材纏め品の斜視図である。
【図４】図３の仕切部材纏め品の裏側を示す斜視図である。
【図５】茶殻樹脂のアンモニアの脱臭を説明する図である。
【図６】茶殻樹脂の酢酸の脱臭を説明する図である。
【符号の説明】
【００２９】
１…冷蔵庫本体、２…冷蔵室、３…冷凍室、３ａ…製氷室、３ｂ…急速冷凍室、３ｃ…冷凍室、４…野菜室、５…下段冷凍室容器、６…中段冷凍室容器、７…上段冷凍室容器、８…冷却器室、９…冷却器、１０…冷気循環ファン、１１…ダンパー、１２…仕切り部材纏め品、１３…脱臭装置、１４ａ…ポリプロピレン試験片のアンモニアの脱臭性能、１４ｂ…茶殻３％混合樹脂試験片のアンモニアの脱臭性能、１４ｃ…茶殻３０％混合樹脂試験片のアンモニアの脱臭性能、１５ａ…ポリプロピレン試験片の酢酸の脱臭性能、１５ｂ…茶殻３％混合樹脂試験片の酢酸の脱臭性能、１５ｃ…茶殻３０％混合樹脂試験片の酢酸の脱臭性能。
【図１】
2008292094.tif 000003
【図２】
2008292094.tif 000004
【図３】
2008292094.tif 000005
【図４】
2008292094.tif 000006
【図５】
2008292094.tif 000007
【図６】
2008292094.tif 000008